(57)【要約】【課題】ファン取付構造において、ファンの取付けを容易に行うことができ、ファンの取付け作業性を改善する。【解決手段】位置決め用ビス４ａ，４ｂは、シャーシ側取付孔２２ｂ，２２ｃに螺合されて、それらの先端がシャーシ２から突出される。ファン１は、位置決め用ビス４ａ，４ｂの先端がファン側取付孔１９ｂ，１９ｃに挿通されることにより、ファン側取付孔１９ａ，１９ｄがシャーシ側取付孔２２ａ，２２ｄと合わさるように位置決めされる。固定用ビス３ａ，３ｂは、ファン側取付孔１９ａ，１９ｄに貫通され、かつ、シャーシ側取付孔２２ａ，２２ｄに螺合され、これにより、ファン１がシャーシ２に固定されて取付けられる。シャーシ２から突出される位置決め用ビス４ａ，４ｂの先端部分は十分に高くすることができ、これにより、ファンの位置決めが安定し、ファンの取付け作業性が向上する。【選択図】図１
2007120348.tif 000002
【特許請求の範囲】
【請求項１】
回転翼及び該回転翼の回転駆動用のモータが胴部に保持されたファンと、前記ファンが取付けられるシャーシとを備えたファン取付構造において、
前記ファンの胴部は、前記ファンを前記シャーシへ取付けるために用いられる４つの略同一径のファン側取付け用ボス孔（以下、ボス孔と記す）を長方形の頂点に位置する４箇所に有し、
前記シャーシは、前記ボス孔よりも小径の４つの略同一径のシャーシ側取付け用ネジ孔（以下、ネジ孔と記す）を前記ボス孔に対応する４箇所に有し、
前記ネジ孔に螺合したうえでさらに前記ボス孔に挿通し得る径及び長さを持つ、前記ファンを位置決めするために用いられる２本の位置決め用ビスと、
前記ボス孔に貫通したうえでさらに前記ネジ孔に螺合し得る径及び長さ径を持つ、前記ファンを固定するために用いられる２本の固定用ビスとを備え、
前記２本の位置決め用ビスは、前記シャーシの前記ファンを取付ける反対側から、前記４箇所のネジ孔のうち任意の対角に位置する２つのネジ孔に螺合されて、それらの先端が前記シャーシの前記ファンを取付ける側に突出され、
前記ファンは、前記位置決め用ビスの先端が前記ボス孔に挿通されることにより、前記ボス孔が前記ネジ孔と合わさるように位置決めされ、
前記２本の固定用ビスは、前記ファンを取付ける側から、前記４箇所のボス孔のうち前記２本の位置決め用ビスが挿通されていない２つのボス孔に貫通され、かつ、前記ネジ孔に螺合されて、前記ファンを前記シャーシに固定し、
前記２本の位置決め用ビスの長さは、前記ファンを位置決めするために前記位置決め用ビスの先端が前記ボス孔に挿通されたときに、先端が前記ファンの胴部の厚みの略半分の位置になる長さであることを特徴とするファン取付構造。
【請求項２】
回転翼及び該回転翼の回転駆動用のモータが胴部に保持されたファンと、前記ファンが取付けられるシャーシとを備えたファン取付構造において、
前記ファンの胴部は、前記ファンを前記シャーシへ取付けるために用いられる複数のファン側取付孔を有し、
前記シャーシは、複数のシャーシ側取付孔を前記ファン側取付孔に対応する箇所に有し、
前記シャーシ側取付孔に貫通したうえでさらに前記ファン側取付孔に挿通し得る、前記ファンを位置決めするために用いられる位置決め用ビスと、
前記ファン側取付孔に貫通したうえでさらに前記シャーシ側取付孔に挿通し得る、前記ファンを固定するために用いられる固定用ビスとを備え、
前記位置決め用ビスは、前記シャーシの前記ファンを取付ける反対側から、前記複数のシャーシ側取付孔のうちのいずれかのシャーシ側取付孔に貫通されて、その先端が前記シャーシの前記ファンを取付ける側に突出され、
前記ファンは、前記位置決め用ビスの先端が前記ファン側取付孔に挿通されることにより、前記ファン側取付孔が前記シャーシ側取付孔と合わさるように位置決めされ、
前記固定用ビスは、前記ファンを取付ける側から、前記複数のファン側取付孔のうち前記位置決め用ビスが挿通されていないファン側取付孔に貫通され、かつ、前記シャーシ側取付孔に螺合又は貫通してカシメられて、前記ファンを前記シャーシに固定することを特徴とするファン取付構造。
【請求項３】
前記位置決め用ビスの長さは、前記ファンを位置決めするために前記位置決め用ビスの先端が前記ファン側取付孔に挿通されたときに、先端が前記ファンの胴部の厚みの略半分の位置になる長さであることを特徴とする請求項２に記載のファン取付構造。
【発明の詳細な説明】
【技術分野】
【０００１】
本発明は、例えばレーザプリンタ、ＤＶＤレコーダ、パソコン等の電子機器に内蔵されるファンのファン取付構造に関するものである。
【背景技術】
【０００２】
従来から、電子機器に内蔵される冷却用の小型のファンは、板金のシャーシに取付けられる。ファンをシャーシに取付けるファン取付構造は、ファンの取付け用ボス孔をシャーシの取付け用ネジ孔に合わせるようにファンを位置決めし、固定用ビスをファンの取付け用ボス孔を通してシャーシの取付け用ネジ孔に螺合させることにより、ファンを固定用ビスによりシャーシに固定して取付けるようになっている。ファンの位置決めは、シャーシの位置決め用ボスにファンの位置決め用ボス孔を係合させることにより行われる。従来のファン取付構造では、シャーシの位置決め用ボスは、シャーシを絞り凸にすることにより形成されている。
【０００３】
また、筐体の内側面に立設されたボスをファンユニットに固定された固定バーの孔に挿通することにより、ファンを筐体内に固定し、そして、筐体のフック部を取付壁の取付孔に挿入することにより、ファンを取付壁に取付けるようにしたファン取付構造が知られている（例えば特許文献１参照）。また、ファンをシャーシと天板との間に挟み、シャーシの外側から通したネジをファンのハウジングの４隅のネジ挿通孔に通して天板のネジ孔に締めつけることにより、ファンをシャーシに取付けるようにしたファン取付構造が知られている（例えば特許文献２参照）。また、ファンのフレームにゴムカバーを嵌合し、これを筐形金具に嵌め込み、そして、筐形金具をシャーシの起立片と底板とで形成されるコ字形の嵌合枠に嵌め込むことにより、ファンをシャーシに取付けるようにしたファン取付構造が知られている（例えば特許文献３参照）。さらに、ファンをホルダ内に挿入し、筐体の係止爪をホルダのスリットに挿入してホルダをスライドさせることにより、ホルダのネジ孔を筐体のネジ挿通孔に合致させ、そして、ネジを筐体の外方よりネジ挿通孔に挿通させネジ孔に螺着させることにより、ファンを筐体に取付けるようにしたファン取付構造が知られている（例えば特許文献４参照）。
【特許文献１】特開２００２−２４６７８１号公報
【特許文献２】特開２００１−１２７４７４号公報
【特許文献３】特開平８−２６４９９０号公報
【特許文献４】特開平８−２２８０８６号公報
【発明の開示】
【発明が解決しようとする課題】
【０００４】
ところが、上述した従来のファン取付構造においては、位置決め用ボスは、シャーシを絞り凸にすることにより形成されるため、背を高くすることが困難であり、背が低くいものであった。つまり、従来のファン取付構造では、位置決めボスの背が低いため、位置決め用ボスによるファンの位置決めが不安定で、ファンを位置決めした状態に保持しておくのが困難であり、ファンの取付け作業性が悪かった。また、シャーシを切り起こして位置決めボスを形成することも考えられるが、このような構造は、シャーシの切り起こしである位置決め用ボスが変形し易く、また、シャーシの形状によりシャーシの切り起こしができないことも多いため、不向きである。なお、上述した特許文献１及び特許文献４に開示の内容を適用したとしても、上記の課題を解決することはできない。
【０００５】
本発明は、上記課題を解決するためになされたものであり、ファンの取付けを容易に行うことができ、ファンの取付け作業性を改善できるファン取付構造を提供することを目的とする。
【課題を解決するための手段】
【０００６】
上記目的を達成するために請求項１の発明は、回転翼及び該回転翼の回転駆動用のモータが胴部に保持されたファンと、ファンが取付けられるシャーシとを備えたファン取付構造において、ファンの胴部は、ファンをシャーシへ取付けるために用いられる４つの略同一径のファン側取付け用ボス孔（以下、ボス孔と記す）を長方形の頂点に位置する４箇所に有し、シャーシは、ボス孔よりも小径の４つの略同一径のシャーシ側取付け用ネジ孔（以下、ネジ孔と記す）をボス孔に対応する４箇所に有し、ネジ孔に螺合したうえでさらにボス孔に挿通し得る径及び長さを持つ、ファンを位置決めするために用いられる２本の位置決め用ビスと、ボス孔に貫通したうえでさらにネジ孔に螺合し得る径及び長さ径を持つ、ファンを固定するために用いられる２本の固定用ビスとを備え、２本の位置決め用ビスは、シャーシのファンを取付ける反対側から、４箇所のネジ孔のうち任意の対角に位置する２つのネジ孔に螺合されて、それらの先端がシャーシのファンを取付ける側に突出され、ファンは、位置決め用ビスの先端がボス孔に挿通されることにより、ボス孔がネジ孔と合わさるように位置決めされ、２本の固定用ビスは、ファンを取付ける側から、４箇所のボス孔のうち２本の位置決め用ビスが挿通されていない２つのボス孔に貫通され、かつ、ネジ孔に螺合されて、ファンをシャーシに固定し、２本の位置決め用ビスの長さは、ファンを位置決めするために位置決め用ビスの先端がボス孔に挿通されたときに、先端がファンの胴部の厚みの略半分の位置になる長さであるものである。
【０００７】
請求項２の発明は、回転翼及び該回転翼の回転駆動用のモータが胴部に保持されたファンと、ファンが取付けられるシャーシとを備えたファン取付構造において、ファンの胴部は、ファンをシャーシへ取付けるために用いられる複数のファン側取付孔を有し、シャーシは、複数のシャーシ側取付孔をファン側取付孔に対応する箇所に有し、シャーシ側取付孔に貫通したうえでさらにファン側取付孔に挿通し得る、ファンを位置決めするために用いられる位置決め用ビスと、ファン側取付孔に貫通したうえでさらにシャーシ側取付孔に挿通し得る、ファンを固定するために用いられる固定用ビスとを備え、位置決め用ビスは、シャーシのファンを取付ける反対側から、複数のシャーシ側取付孔のうちのいずれかのシャーシ側取付孔に貫通されて、その先端がシャーシのファンを取付ける側に突出され、ファンは、位置決め用ビスの先端がファン側取付孔に挿通されることにより、ファン側取付孔がシャーシ側取付孔と合わさるように位置決めされ、固定用ビスは、ファンを取付ける側から、複数のファン側取付孔のうち位置決め用ビスが挿通されていないファン側取付孔に貫通され、かつ、シャーシ側取付孔に螺合又は貫通してカシメられて、ファンをシャーシに固定するものである。
【０００８】
請求項３の発明は、請求項２に記載のファン取付構造において、位置決め用ビスの長さは、ファンを位置決めするために位置決め用ビスの先端がファン側取付孔に挿通されたときに、先端がファンの胴部の厚みの略半分の位置になる長さであるものである。
【発明の効果】
【０００９】
請求項１の発明によれば、シャーシから突出される位置決め用ビスの先端部分が位置決め用ボスの役割を果たし、位置決め用ビスの先端部分がファンのボス孔に挿通されることにより、ファンのボス孔がシャーシのネジ孔と合わさるように位置決めされ、このとき、位置決め用ビスの先端は、ファンの胴部の厚みの略半分の位置になる。従って、ファンのボス孔に挿通される位置決め用ビスの先端部分が短すぎることなく、これにより、ファンの位置決めが安定し、ファンを位置決めした状態に保持しておくことが容易となり、ファンの取付けを容易に行うことができ、ファンの取付け作業性が向上する。しかも、位置決め用ビスの先端部分がファンの胴部から突出することがなく、これにより、位置決め用ビスの先端部分が固定用ビスによるファンの固定作業の邪魔にならず、ファンの取付け作業を円滑に行うことができ、ファンの取付け作業性が向上する。また、位置決め用ビスは、市販品の汎用のビスを用いることができ、安価である。また、位置決め用ビスの取付けは、位置決め用ビスをシャーシのネジ孔に螺合させるだけでよく、簡単にできる。さらに、位置決め用ビスは、シャーシに螺合されて固定されるので、ファンをシャーシに取付けた後に取外す必要がない。
【００１０】
請求項２の発明によれば、シャーシから突出される位置決め用ビスの先端部分が位置決め用ボスの役割を果たし、位置決め用ビスの先端部分がファン側取付孔に挿通されることにより、ファン側取付孔がシャーシ側取付孔と合わさるように位置決めされる。従って、位置決め用ビスとして、シャーシの厚み（シャーシ側取付孔の長さ）に応じて適切な長さのビスを用いることにより、シャーシから突出される位置決め用ビスの先端部分を十分に高くする（すなわち背の高い位置決め用ボスを形成する）ことができ、これにより、ファンの位置決めが安定し、ファンを位置決めした状態に保持しておくことが容易となり、ファンの取付けを容易に行うことができ、ファンの取付け作業性が向上する。しかも、位置決め用ビスは、市販品の汎用のビスを用いることができ、安価である。また、位置決め用ビスの取付けは、位置決め用ビスをシャーシ側取付孔に挿通するだけでよく、簡単にできる。さらに、シャーシから突出される位置決め用ビスの先端部分の長さは、位置決め用ビスとして市販品の汎用のビスを用いることにより容易に変更することができる。
【００１１】
請求項３の発明によれば、ファンを位置決めするために位置決め用ビスの先端部分をファン側取付孔に挿通したとき、位置決め用ビスの先端は、ファンの胴部の厚みの略半分の位置になる。従って、ファン側取付孔に挿通される位置決め用ビスの先端部分が短すぎることなく、これにより、ファンの位置決めが安定し、ファンを位置決めした状態に保持しておくことが容易となり、ファンの取付けを容易に行うことができ、ファンの取付け作業性が向上する。しかも、位置決め用ビスの先端部分がファンの胴部から突出することがなく、これにより、位置決め用ビスの先端部分が固定用ビスによるファンの固定作業の邪魔にならず、ファンの取付け作業を円滑に行うことができ、ファンの取付け作業性が向上する。
【発明を実施するための最良の形態】
【００１２】
以下、本発明を具体化した実施形態によるファン取付構造について図面を参照して説明する。図１（ａ）（ｂ）（ｃ）、図２は、ファン取付構造を示す。ファン１は、シャーシ２に、２本の固定用ビス３ａ，３ｂを用いて取付けられる。また、ファン１をシャーシ２に取付けるとき、ファン１をシャーシ２に位置決めするために、２本の位置決め用ビス４ａ，４ｂが用いられる。
【００１３】
ファン１は、回転翼１１及び回転翼１１の回転駆動用のモータ１２が支持部１３を介して胴部１４に保持された構成になっている。胴部１４は、略矩形の平板状をしており、空気の流通路であるファン開口１５と、ファン１をシャーシ２へ取付けるために用いられる４つのファン側取付孔１９ａ，１９ｂ，１９ｃ，１９ｄとを有している。ファン開口１５は、胴部１４の略中央に設けられており、ファン開口１５内に回転翼１１及びモータ１２が配置されている。ファン側取付孔１９ａ〜１９ｄは、ネジ溝が形成されていないボス孔であり、胴部１４の４隅に、長方形の頂点に位置する４箇所に設けられている。ファン側取付孔１９ａ〜１９ｄの径は、略同じであり、例えば略４．２ｍｍとなっている。
【００１４】
シャーシ２は、略矩形の平板状の板金から成り、ファン１により流通される空気を通気するための通気口２１と、ファン１をシャーシ２へ取付けるために用いられる４つのシャーシ側取付孔２２ａ，２２ｂ，２２ｃ，２２ｄとを有している。シャーシ側取付孔２２ａ〜２２ｄは、ネジ溝が形成されたネジ孔であり、ファン側取付孔１９ａ〜１９ｄに対応する（すなわちファン側取付孔１９ａ〜１９ｄに合致可能な）４箇所に設けられている。シャーシ側取付孔２２ａ〜２２ｄの径は、略同じであり、ファン側取付孔１９ａ〜１９ｄの径よりも小さく、例えば略３．５ｍｍとなっている。
【００１５】
固定用ビス３ａ，３ｂは、ファン１をシャーシ２に取付けて固定するために用いられるビスである。固定用ビス３ａ，３ｂは、ファン側取付孔１９ａ〜１９ｄに貫通したうえでさらにシャーシ側取付孔２２ａ〜２２ｄに螺合し得る寸法になっている。すなわち、固定用ビス３ａ，３ｂのネジ部（シャフト部）３１ａ，３１ｂの径は、ファン側取付孔１９ａ〜１９ｄの径よりも小さく、シャーシ側取付孔２２ａ〜２２ｄの径と略同じであり、例えば略３．５ｍｍとなっており、ネジ部３１ａ，３１ｂの長さは、ファン１の胴部１４の厚みにシャーシ２の厚みを足し合わせた長さよりも長くなっている。また、固定用ビス３ａ，３ｂの頭部３２ａ，３２ｂの径は、ファン側取付孔１９ａ〜１９ｄの径よりも大きくなっている。
【００１６】
位置決め用ビス４ａ，４ｂは、ファン１をシャーシ２に取付けるときにファン１を位置決めするために用いられるビスである。位置決め用ビス４ａ，４ｂは、シャーシ側取付孔２２ａ〜２２ｄに螺合したうえでさらにファン側取付孔１９ａ〜１９ｄに挿通し得る寸法になっている。すなわち、位置決め用ビス４ａ，４ｂのネジ部（シャフト部）４１ａ，４１ｂの径は、シャーシ側取付孔２２ａ〜２２ｄの径と略同じであり、ファン側取付孔１９ａ〜１９ｄの径よりも小さく、例えば略３．５ｍｍとなっており、ネジ部４１ａ，４１ｂの長さは、シャーシ２の厚みにファン１の胴部１４の略半分の厚みを足し合わせた長さになっている。また、位置決め用ビス４ａ，４ｂの頭部４２ａ，４２ｂの径は、シャーシ側取付孔２２ａ〜２２ｄの径よりも大きくなっている。このような固定用ビス３ａ，３ｂ、及び位置決め用ビス４ａ，４ｂは、一般に市販されているものを使用することができる。
【００１７】
図３（ａ）（ｂ）は、ファン１をシャーシ２に取付ける方法を示す。ファン１は、以下のようにして、シャーシ２に取付けられる。まず、２本の位置決め用ビス４ａ，４ｂのネジ部４１ａ，４１ｂを、シャーシ２のファン１を取付ける反対側から、４箇所のシャーシ側取付孔２２ａ〜２２ｄのうち任意の対角に位置する２つのシャーシ側取付孔（図示の例ではシャーシ側取付孔２２ｂと２２ｃ）に螺合し、それらの先端をシャーシ２のファン１を取付ける側に突出させる（図３（ａ）参照）。このとき、位置決め用ビス４ａ，４ｂは、シャーシ側取付孔２２ｂ，２２ｃに螺合されているため、ネジ部４１ａ，４１ｂの先端がシャーシ２から突出した状態に保持される。
【００１８】
続いて、ファン１のファン側取付孔１９ａ〜１９ｄ（図示の例ではファン側取付孔１９ｂと１９ｃ）に位置決め用ビス４ａ，４ｂのネジ部４１ａ，４１ｂの先端を挿通させる（図３（ｂ）参照）。これにより、ファン１のファン開口１５がシャーシ２の通気口２１と合わさると共に、ファン側取付孔１９ａ〜１９ｄがシャーシ側取付孔２２ａ〜２２ｄと合わさり、ファン１がシャーシ２に位置決めされる。このとき、位置決め用ビス４ａ，４ｂのネジ部４１ａ，４１ｂの長さは、上述のようにシャーシ２の厚みにファン１の胴部１４の略半分の厚みを足し合わせた長さになっているため、ネジ部４１ａ，４１ｂの先端は、ファン１の胴部１４の厚みの略半分の位置になる。
【００１９】
そして、２本の固定用ビス３ａ，３ｂのネジ部３１ａ，３１ｂを、ファン１を取付ける側から、４箇所のファン側取付孔１９ａ〜１９ｄのうち２本の位置決め用ビス４ａ，４ｂが挿通されていない２つのファン側取付孔（図示の例ではファン側取付孔１９ａと１９ｄ）に貫通させ、かつ、位置決め用ビス４ａ，４ｂが螺合されていない２つのシャーシ側取付孔（図示の例ではシャーシ側取付孔２２ａと２２ｄ）に螺合させて締めつける。これにより、上記図１（ａ）（ｂ）（ｃ）に示すように、ファン１がシャーシ２に固定されて取付けられた状態になる。
【００２０】
このようなファン取付構造によれば、シャーシ２から突出される位置決め用ビス４ａ，４ｂの先端部分が位置決め用ボスの役割を果たし、位置決め用ビス４ａ，４ｂの先端部分がファン側取付孔１９ｂと１９ｃ、又はファン側取付孔１９ａと１９ｄに挿通されることにより、ファン側取付孔１９ａ〜１９ｄがシャーシ側取付孔２２ａ〜２２ｄと合わさるように位置決めされ、このとき、位置決め用ビス４ａ，４ｂの先端は、ファン１の胴部１４の厚みの略半分の位置になる。
【００２１】
従って、ファン側取付孔１９ａ〜１９ｄに挿通される位置決め用ビス４ａ，４ｂの先端部分が短すぎることなく、これにより、ファン１の位置決めが安定し、ファン１を位置決めした状態に保持しておくことが容易となり、ファン１の取付けを容易に行うことができる。しかも、位置決め用ビス４ａ，４ｂの先端部分がファン１の胴部１４から突出することがなく、これにより、位置決め用ビス４ａ，４ｂの先端部分が固定用ビス３ａ，３ｂによるファン１の固定作業の邪魔にならず、ファン１の取付け作業を円滑に行うことができる。
【００２２】
また、位置決め用ビス４ａ，４ｂは、市販品の汎用のビスを用いることができ、安価である。また、位置決め用ビス４ａ，４ｂの取付けは、位置決め用ビス４ａ，４ｂをシャーシ２のシャーシ側取付孔２２ａ〜２２ｄに螺合させるだけでよく、簡単に行うことができる。さらに、位置決め用ビス４ａ，４ｂは、シャーシ２に螺合されて固定されるので、ファン１をシャーシ２に取付けた後に取外す必要がない。
【００２３】
なお、本発明は、上記実施形態の構成に限られず、種々の変形が可能である。例えば、上記実施形態において、位置決め用ビス４ａ，４ｂは、ファン１をシャーシ２に取付けた後に取外してもよい。位置決め用ビス４ａ，４ｂのネジ部４１ａ，４１ｂは、ファン１を位置決めするために位置決め用ビス４ａ，４ｂの先端がファン側取付孔１９ａ〜１９ｄに挿通されたときに（従ってファン１がシャーシ２に取付けられたときに）、先端がファン１の胴部１４から突出する長さであってもよい。シャーシ側取付孔２２ａ〜２２ｄをネジ溝が形成されていないボス孔とし、固定用ビス３ａ、３ｂ及び位置決め用ビス４ａ，４ｂにタッピンネジを用いて、固定用ビス３ａ、３ｂ及び位置決め用ビス４ａ，４ｂをシャーシ側取付孔２２ａ〜２２ｄに螺合させてもよい。シャーシ側取付孔２２ａ〜２２ｄは、バーリング加工が施されていてもよい。固定用ビス３ａ、３ｂは、シャーシ側取付孔２２ａ〜２２ｄに螺合させることに代えて、シャーシ側取付孔２２ａ〜２２ｄを貫通させて先端をカシメてもよい。
【図面の簡単な説明】
【００２４】
【図１】（ａ）は本発明の一実施形態に係るファン取付構造のファンをシャーシに取付けた状態のファン側から見た斜視図、（ｂ）は同シャーシ側から見た斜視図、（ｃ）は（ａ）のＡ−Ａ線断面図。
【図２】同ファン取付構造のファンをシャーシに取付ける前の分解斜視図。
【図３】同ファン取付構造のファンをシャーシに取付ける方法を示す図であり、（ａ）はシャーシに位置決め用ビスを装着した状態の斜視図、（ｂ）はファンをシャーシに位置決めした状態の斜視図。
【符号の説明】
【００２５】
１    ファン
２    シャーシ
３ａ，３ｂ    固定用ビス
４ａ，４ｂ    位置決め用ビス
１１    回転翼
１２    モータ
１３    支持部
１４    胴部
１５    ファン開口
１９ａ，１９ｂ，１９ｃ，１９ｄ    ファン側取付孔
２１    通気口
２２ａ，２２ｂ，２２ｃ，２２ｄ    シャーシ側取付孔
３１ａ，３１ｂ    固定用ビスのネジ部
３２ａ，３２ｂ    固定用ビスの頭部
４１ａ，４１ｂ    位置決め用ビスのネジ部
４２ａ，４２ｂ    位置決め用ビスの頭部
【図１】
2007120348.tif 000003
【図２】
2007120348.tif 000004
【図３】
2007120348.tif 000005